(57)【要約】【課題】戸体の開閉機構における新たな構造を提供する。【解決手段】駆動装置41と受け具31との何れか一方の第一部材と、何れか他方の第二部材とを備え、駆動装置41の作動部と受け具31とが係合することにより開閉する開き戸や折り戸の開閉機構である。駆動装置41と受け具31との双方を戸体11に設けて、その第一部材は左右方向に沿ってスライド可能とし、第二部材は左右方向に移動不能とされる。第一部材と、戸枠12とを、連携部材21を介して繋ぐ。連携部材21は、開閉に伴い第一部材をスライド移動させ、駆動装置41の作動部と受け具31とが係合して、作動部及び連携部材21の回動に伴い戸体11が開閉する。駆動装置41と受け具31との双方を、戸枠12に設けることもできる。【選択図】図１
2020101059.tif 000002
【特許請求の範囲】
【請求項１】
駆動装置と受け具との何れか一方の第一部材と、何れか他方の第二部材とを備え、
前記駆動装置の作動部と前記受け具とが係合することにより、戸体が前記作動部に制御されて戸枠との角度を変化させつつ開閉する戸体の開閉機構において、
前記戸体は、開き戸又は折り戸であり、
前記第一部材が前記戸体と前記戸枠との何れか一方の開閉構造体に沿ってスライド可能に取り付けられ、
前記第二部材が前記一方の開閉構造体に固定され、
前記戸体と前記戸枠との何れか他方の開閉構造体と前記第一部材とを繋ぐ連携部材を備え、
前記連携部材は、前記一方の開閉構造体の開閉に伴い前記第一部材を前記一方の開閉構造体に沿ってスライド移動させるものであり、
前記第一部材の前記スライド移動によって前記駆動装置の前記作動部と前記受け具とが係合して前記戸体が前記作動部に制御されて開閉するように構成されたことを特徴とする戸体の開閉機構。
【請求項２】
前記第一部材をスライド可能に案内するガイド部材が前記一方の開閉構造体の左右方向に沿って配置され、
前記第二部材との上下距離を一定に保ちながら、前記第一部材が前記一方の開閉構造体の左右方向に沿ってスライドするように構成されたことを特徴とする請求項１記載の戸体の開閉機構。
【請求項３】
２つの前記第二部材が、前記一方の開閉構造体の左右方向の一端側と他端側とに配置され、
前記第一部材が前記２つの前記第二部材との間を移動し、
前記一端側の前記第二部材と前記第一部材とによって前記戸体の開き動作がなされ、
前記他端側の前記第二部材と前記第一部材とによって前記戸体の閉まり動作がなされるように構成されたことを特徴とする請求項１又は２に記載の戸体の開閉機構。
【請求項４】
前記作動部は作動アームであり、
前記駆動装置は、前記作動アームと、前記作動アームを回動させるスプリングと、保持機構と、ダンパーとを備え、
前記スプリングは、前記作動アームが一方に回動するとき付勢力を蓄え、前記付勢力によって前記作動アームを他方に回動させるものであり、
前記保持機構は、前記作動アームを一方に回動した状態で保持するものであり、
前記受け具は、前記作動アームを受け入れるものであり、
前記ダンパーは、前記作動アームの回転抵抗となることで、前記戸体の開閉の速さを制御するものであり、
前記作動アームが前記受け具に受け入れられることにより、前記保持機構による前記作動アームの保持が外れて前記作動アームが他方ヘ前記付勢力によって回動し、前記スプリングの付勢力が前記戸体に作用するように構成されたことを特徴とする請求項１〜３の何れかに記載の戸体の開閉機構。
【請求項５】
前記連携部材は、前記一方の開閉構造体と前記第一部材のそれぞれに対して回動可能に接続された剛性を有するステーであり、
前記ステーは、前記戸枠及び前記戸体に対して回動可能に接続されたことを特徴とする請求項１〜４の何れかに記載の戸体の開閉機構。
【発明の詳細な説明】
【技術分野】
【０００１】
本発明は、戸体の開閉機構に関するものである。
【背景技術】
【０００２】
駆動装置と受け具との何れか一方の第一部材と、何れか他方の第二部材とを備え、前記駆動装置の作動部と前記受け具とが係合することにより、前記戸体が作動部に制御されて開閉する戸体の開閉機構については、先行技術文献に示す構造のものが知られている。
【０００３】
具体的には、前記作動部は作動アームであり、前記駆動装置は、前記作動アームと、前記作動アームを回動させるスプリングと、保持機構とを備えたものとして実施される。前記スプリングは、前記作動アームが一方に回動するとき付勢力を蓄え、前記付勢力によって前記作動アームを他方に回動させる。前記保持機構は、前記作動アームを一方に回動した状態で保持するものであり、前記受け具は、前記作動アームを受け入れるものとして実施される。前記作動アームが前記受け具に受け入れられることにより、前記保持機構による前記作動アームの保持が外れて前記作動アームが他方ヘ前記付勢力によって回動し、前記スプリングの付勢力が前記戸体に作用することによって、戸体の開閉が前記スプリングの力によってなされるように構成されている。さらに、スプリングの力を調整したり、人が勢いよく戸体の開閉を行なった時に開閉のスピードを適当な速さに弱めたりするためのダンパーが併設されたものとして実施されている。
【０００４】
前記戸体が前記戸枠との角度を変化させつつ開閉する開き戸や折戸にあっては、戸体の重量によって、開閉中にその高さが変化する場合があり、さらに経年変化によって高さの変化が著しくなることもある。このような場合、前記作動アームが前記受け具に良好に受け入れられなかったり、受け入れられても誤動作を起こす恐れがある。
【０００５】
さらにまた、戸体の開と閉との双方にて開閉機構を設けようとすると、２組の駆動装置と受け具とが必要となる。
【先行技術文献】
【特許文献】
【０００６】
【特許文献１】特許第５６９００４５号公報
【特許文献２】特許第５４０１５１１号公報
【特許文献３】特許第５０８９２０８号公報
【特許文献４】特開２００６-２８３４６０号公報
【特許文献５】特許第４４６０５５４号公報
【発明の概要】
【発明が解決しようとする課題】
【０００７】
本発明は戸体の開閉機構における新たな構造を提供することを課題とする。
また本発明は、開き戸や折戸の開閉の際における高さの変化に、開閉機構が影響されてしまうことを抑制した戸体の開閉機構の提供を図ることにある。
【０００８】
さらにまた本発明は、戸体の開閉の双方に対応できる戸体の開閉機構の提供を図ることにある。
【課題を解決するための手段】
【０００９】
本発明は、駆動装置と受け具との何れか一方の第一部材と、何れか他方の第二部材とを備え、前記駆動装置の作動部と前記受け具とが係合することにより、戸体が前記作動部に制御されて戸枠との角度を変化させつつ開閉する戸体の開閉機構において、新たな構造を備えた物を提供する。
【００１０】
すなわち本発明にあっては、前記戸体は、開き戸又は折り戸として実施できるものであり、前記第一部材と前記第二部材との双方を、前記戸体と前記戸枠との何れか一方の開閉構造体に設けるようにしたものである。前記第一部材は左右方向に沿ってスライド可能であるが、前記第二部材は左右方向に移動不能とされる。
【００１１】
そして、前記戸体と前記戸枠との何れか他方の開閉構造体と前記第一部材とを、連携部材を介して繋ぐ。前記連携部材は、前記一方の開閉構造体の開閉に伴い前記第一部材を前記一方の開閉構造体に沿ってスライド移動させる。このスライド移動によって前記駆動装置の前記作動部と前記受け具とが係合して前記戸体が前記作動部に制御されて開閉するように構成したものである。
【発明の効果】
【００１２】
本発明は戸体の開閉機構における新たな構造を提供することができたものである。
また本発明は、前記第一部材と前記第二部材との双方を、前記戸体と前記戸枠との何れか一方の開閉構造体に設けるようにしたものであるため、開き戸や折戸の開閉の際における高さの変化に、開閉機構が影響されてしまうことを抑制することができる。
さらにまた本発明は、戸体の開閉の双方に対応できる戸体の開閉機構の提供を図ることができたものである。
【図面の簡単な説明】
【００１３】
【図１】第１の実施の形態に係る開閉機構を示す写真斜視図であり、（Ａ）は全閉状態、（Ｂ）は半開状態、（Ｃ）は全開状態を示す。
【図２】同開閉機構の全閉状態を示すものであり、（Ａ）は平面図、（Ｂ）は正面図である。
【図３】同開閉機構の半開状態を示すものであり、（Ａ）は平面図、（Ｂ）は正面図である。
【図４】同開閉機構の全開状態を示すものであり、（Ａ）は平面図、（Ｂ）は正面図である。
【図５】第２の実施の形態に係る開閉機構の全開状態の平面図である。
【図６】第３の実施の形態に係る開閉機構の全閉状態を示すものであり、（Ａ）は要部断面図、（Ｂ）は平面図、（Ｃ）は正面図である。
【図７】同開閉機構の半開状態を示すものであり、（Ａ）は平面図、（Ｂ）は正面図である。
【図８】同開閉機構の全開状態を示すものであり、（Ａ）は平面図、（Ｂ）は正面図である。
【図９】第４の実施の形態に係る開閉機構の全閉状態を示すものであり、（Ａ）は平面図、（Ｂ）は正面図である。
【図１０】同開閉機構の半開状態を示すものであり、（Ａ）は平面図、（Ｂ）は正面図である。
【図１１】同開閉機構の全開状態を示すものであり、（Ａ）は平面図、（Ｂ）は正面図である。
【図１２】同開閉機構の駆動装置と受け具を示す説明図であり、（Ａ）は全閉状態、（Ｂ）は半開状態、（Ｃ）は全開状態を示す。
【発明を実施するための形態】
【００１４】
以下図面に基づき本発明の実施の形態について説明する。
（概要）
本発明は、前述の通り、受け具３１と駆動装置４１との何れか一方を第一部材とし、何れか他方を第二部材とし、駆動装置４１の作動アーム４２などの作動部と受け具３１とが係合することにより、戸体１１が作動部に制御されて戸枠１２との角度を変化させつつ開閉する戸体の開閉機構に関するものである。戸体１１は、具体的には開き戸又は折り戸として実施されるものであり、従来受け具３１と駆動装置４１は、戸体１１と戸枠１２とに別れて固定されており、戸体１１が全閉に近づくなど受け具３１と駆動装置４１が接近した段階で、受け具３１と作動アーム４２が係合して、戸体１１の動きを制御するようにしていたところ、本発明では、受け具３１と駆動装置４１との両者を共に、戸体１１と戸枠１２のいずれか一方に設けるようにした新たな構造の開閉機構を提案するものである。具体的には、受け具３１と駆動装置４１を共に戸体１１と戸枠１２のいずれか一方に設けるものであり、その際に受け具３１と駆動装置４１とのいずれか一方を、左右方向にスライド可能に設けて、連携用ステー２１などの連携部材によってスライド移動させて、駆動装置４１の作動アーム４２などの作動部を受け具３１に係合させるものである。
【００１５】
（受け具３１と駆動装置４１）
本発明の実施においては、受け具３１と駆動装置４１の構造自体は、従来の開閉機構に用いられていたものをそのまま適用することができるものであり、上述の先行技術文献に示されたものや、それ以外の構造のものなど、種々変更して実施することができるが、その単なる一例として、図１２を参照しながらその構造を簡単に説明する。
【００１６】
駆動装置４１は、作動アーム４２と、これを回動させるスプリング４３と、保持機構４４とを備えたものとして実施でき、これに加えてダンパー４６をさらに設けて実施することができ、これらがケーシング４７に納められている。図１２の例では左右２つの作動アーム４２を１本のスプリング４３で動かすようにしているが、１つの作動アーム４２を１本のスプリング４３で動かすようにしてもよく、１つの作動アーム４２を２本以上のスプリング４３で動かすようにしても構わない。
【００１７】
作動アーム４２は、その先端にローラーなどの係合部分４８を備え、その基端がアーム回動軸４９によって回動可能にケーシング４７に軸支されている。
スプリング４３は、その両端が、左右の作動アーム４２の基端寄りの力点部分５０にそれぞれ固定されているが、一つの作動アーム４２のみを備えたものの場合には、スプリング４３の一端はケーシング４７に固定されて実施される。またこの例では、戸体１１の動きを一定速さ以下に抑えるためにダンパー４６が用いられており、ダンパー４６の両端は、左右の作動アーム４２の基端寄りにそれぞれ固定されている。なお、スプリング４３とダンパー４６の位置関係は入れ替えて実施することもできるし、スプリング４３やダンパー４６をリンクやカムなどの別部材を介して作動アーム４２に接続することもできる。
【００１８】
この例ではスプリング４３に引っ張りコイルスプリングが用いられているため、図１２では（Ａ）及び（Ｃ）が、スプリング４３とダンパー４６とが収縮した状態となっており、（Ｂ）が伸長した状態となっている。この伸長した状態でスプリング４３には付勢力が蓄えられているが、スプリング４３に圧縮コイルスプリングを用いた場合には収縮した状態で付勢力がスプリング４３に蓄えられることになる。この蓄えられる力は、人の手によって戸体１１が開閉される際に蓄えられるものである。
【００１９】
具体的には、図１２の（Ａ）において、左側の作動アーム４２が、受け具３１の保持部３２に係合して固定されている状態で、人の手による戸体１１の開閉動作で受け具３１と駆動装置４１との位置関係が変化する時に、作動アーム４２が回動するに伴い、スプリング４３が伸長して付勢力が蓄えられる。
【００２０】
さらに人の手による戸体１１の開閉動作が継続されると、図１２の（Ｂ）に示されるように、左側の作動アーム４２が保持部３２から抜け出して係合状態が解除されると共に、板バネなどの保持機構４４によって作動アーム４２が保持される。なお、この状態では、左右のアーム回動軸４９と力点部分５０がスプリング４３とほぼ一直線上となるため、スプリング４３の力は作動アーム４２を回動させるための力としては大きく作用しておらず、この状態を保持機構４４が安定的に保つようにしているものであるが、アーム回動軸４９と力点部分５０とスプリング４３の位置関係のみで保持機構を構成するようにしてかまわない。
【００２１】
さらに人の手による戸体１１の開閉動作が継続されると、図１２の（Ｃ）に示されるように、右側の作動アーム４２が受け具３１の案内部３３から保持部３２に入り込んで、係止状態となる。これによって、スプリング４３の力が戸体１１に作用して、スプリング４３のみの力でも戸体１１が回動する。その際、人の力が大きい場合など戸体１１の移動が速すぎる場合には、ダンパー４６によって適当な速さに制限される。
なお、受け具３１は斜面状の案内部３３と凹部の保持部３２を備えたものとしているが、これらを溝状のものにしても構わないし、種々の形態のものを採用することができる。
【００２２】
（第１の実施の形態：図１から図４）
図１から図４を参照して第１の実施の形態に係る開閉機構を説明する。
【００２３】
この開閉機構は、戸体１１と戸枠１２とからなる開閉構造体によって、戸体１１の開閉を制御するものである。この例では、戸枠１２の縦枠１３に回動可能に取り付けられた開き戸を例示したが、折り戸にも適用することができる。戸体１１は、常法に従い蝶番（図示せず）によって縦枠１３に取り付けられており、回動軸１４を中心として回動して開閉する。
【００２４】
この例では、受け具３１と駆動装置４１は共に戸体１１に設けられたもので、受け具３１が戸体１１の左右方向にスライド可能に設けられている。従ってこの例では受け具３１が第一部材であり、駆動装置４１が第二部材であり、第二部材である駆動装置４１は戸体１１に固定されている。駆動装置４１は、１つであっても構わないが、この例では左右両側に１つずつ合計２つの駆動装置４１が設けられている。これによって、開閉機構による制御は、戸体１１が開き切る際と、閉まり切る際との両方で行われるものである。
【００２５】
受け具３１と駆動装置４１は、戸体１１の外面に露出するように設けても作動するが、戸体１１の前後の２面を構成する前板と後板との間の内部空間に配置しておけば、外部からはほとんど見えない状態となるため、居室空間等の意匠性の向上に有利である。
【００２６】
受け具３１は、戸枠１２の上端に設けられたガイド部材２２に案内されて左右方向にスライド移動する。この受け具３１と戸枠１２（この例では上枠１５）との間には、連携部材として剛性を有する連携用ステー２１が渡されている。連携用ステー２１の両端は受け具３１と戸枠１２のそれぞれに対して連結軸２３、２４にて回動可能に接続されている。連携用ステー２１が連結軸２４で接続された受け具３１は戸体１１の左右方向にスライド可能であるため、戸体１１の開閉に伴い受け具３１は左右方向に移動する。なお、戸枠１２の連結軸２３については、戸体１１の特定の位置で左右方向には動かないように、その位置が固定されている。
【００２７】
戸体１１の開閉に伴い、受け具３１が一方の駆動装置４１に接近すると、受け具３１が駆動装置４１の作動アーム４２と係合する。これによって、一方の駆動装置４１が作動してスプリング４３の力で作動アーム４２が回動する。作動アーム４２が回動することによって、連携用ステー２１も回動し、これによって戸体１１が戸枠１２に対して回動する。
受け具３１が左右の駆動装置４１から遠ざかって両者の中間の位置にあるときは、戸体１１にはスプリング４３の力は作用しない。
【００２８】
なお、連結軸２３、２４と連携用ステー２１との接続は、上下方向に若干の遊びを持たせておくことが好ましく、これによって戸体１１が開閉時に上下動しても、この上下動を吸収して受け具３１を円滑に左右方向に移動させることができるとともに、受け具３１と駆動装置４１の作動アーム４２との係合に悪影響を及ぼすことを抑制することができる。
【００２９】
図１（Ａ）と図２は、戸体１１の全閉状態を示しているもので、この状態では、受け具３１は右側（戸先側）へ移動しており、右側の駆動装置４１の作動アーム４２と係合している。
図１（Ｂ）と図３は、戸体１１が半開きの状態を示しているもので、この状態では、受け具３１は左右方向の中間位置にあり、左右いずれの駆動装置４１の作動アーム４２とも係合していない。したがって戸体１１は普通の扉と同様に自由な状態にある。
図１（Ｃ）と図４は、戸体１１の全開状態を示しているもので、この状態では、受け具３１は左側（吊元側）へ移動しており、左側の駆動装置４１の作動アーム４２と係合している。
【００３０】
なお、駆動装置４１は前述の図１２のものでは横長のタイプを示したが、この実施の形態における駆動装置４１は、縦長のタイプで１つの作動アーム４２を備えた駆動装置４１を２個用いたが、その形態は適宜変更することができる。また、図１２のものでは2個の受け具３１を用いていたが、この例では左右それぞれに保持部及び案内部を備えた１個の受け具３１を用いて、受け具３１が左側に移動した時には左側の保持部及び案内部が左側の駆動装置４１の作動アーム４２と係合し、受け具３１が右側に移動した時には右側の保持部及び案内部が右側の駆動装置４１の作動アーム４２と係合するようにしているが、その形態は適宜変更することができる。
【００３１】
（第２の実施の形態：図５）
次に図５を参照して第２の実施の形態について説明する。この実施の形態に係る開閉機構は、第１の実施の形態における戸体１１を１８０度近くまで回動することができるようにしたもので、連携用ステー２１の長さやガイド部材２２の長さを第１の実施の形態のものに比べて長くしたり、連結軸２３の位置を変更したりすることによって、大きな回動範囲にも対応することができるようにしたものである。
【００３２】
（第３の実施の形態：図６から図８）
図６から図８を参照して第３の実施の形態に係る開閉機構を説明する。
この開閉機構にあっては、受け具３１と駆動装置４１は共に戸枠１２側に設けられたもので、受け具３１が戸枠１２の上枠１５の左右方向にスライド可能に設けられている。従ってこの例でも受け具３１が第一部材であり、駆動装置４１が第二部材であるが、第1の実施の形態とは異なり両者は共に戸枠１２側に設けられている。第二部材である駆動装置４１は、１つであっても構わないが、この例では２つが左右に設けられている。これによって、開閉機構による制御は、戸体１１が開き切る際と、閉まり切る際との両方で行われるものである。
【００３３】
受け具３１を左右方向に案内するガイド部材２２は、戸枠１２の上枠１５の下面に設けられており、連携用ステー２１の連結軸２３は戸枠１２側の受け具３１に設けられている。
【００３４】
図６は、戸体１１の全閉状態を示しているもので、この状態では、受け具３１は右側（戸先側）へ移動しており、右側の駆動装置４１の作動アーム４２と係合している。
図７は、戸体１１が半開きの状態を示しているもので、この状態では、受け具３１は左右の中間位置にあり、左右いずれの駆動装置４１の作動アーム４２とも係合していない。したがって戸体１１は普通の扉と同様に自由な状態にある。
図８は、戸体１１の全開状態を示しているもので、この状態では、受け具３１は左側（吊元側）へ移動しており、左側の駆動装置４１の作動アーム４２と係合している。
【００３５】
（第４の実施の形態：図９から図１２）
図９から図１２を参照して第４の実施の形態に係る開閉機構を説明する。
【００３６】
この開閉機構にあっては、受け具３１と駆動装置４１は共に戸体１１側に設けられたもので、駆動装置４１が戸体１１の左右方向にスライド可能に設けられている。従ってこの例では、駆動装置４１が第一部材であり、受け具３１が第二部材であり、両者はともに戸体１１側に設けられている。第二部材である受け具３１は、１つであっても構わないが、この例では２つが左右に設けられている。これによって、開閉機構による制御は、戸体１１が開き切る際と、閉まり切る際との両方で行われるものである。
この例では、駆動装置４１は最初に説明した図１２の横長タイプのものが採用されているが、縦長タイプのものであっても構わない。
【００３７】
図９（Ａ）は、戸体１１に受け具３１と駆動装置４１を収納する形態の一例を示すもので、駆動装置４１の上部は前後方向に張り出した被案内部４５を備えている。これに対応してガイド部材２２を断面コ字状として、被案内部４５を受容し、その上下から案内することができるものとしておくことによって、上下方向に安定した作動状態を得るようにしたものである。
なおこの例では、駆動装置４１の下方に突出した作動アーム４２が、その下方に設けられた受け具３１と係合するものであり、戸体１１に設けられた凹部内に配置されている。
【００３８】
図９（Ｂ）（Ｃ）は、戸体１１の全閉状態を示しているもので、この状態では、駆動装置４１は右側（戸先側）へ移動しており、その作動アーム４２は右側の受け具３１と係合している。
図１０（Ａ）（Ｂ）は、戸体１１が半開きの状態を示しているもので、この状態では、駆動装置４１は左右の中間位置にあり、その作動アーム４２は左右いずれの受け具３１とも係合していない。したがって戸体１１は普通の扉と同様に自由な状態にある。
図１１（Ａ）（Ｂ）は、戸体１１の全開状態を示しているもので、この状態では、駆動装置４１は左側（吊元側）へ移動しており、その作動アーム４２は左側の受け具３１と係合している。
【００３９】
（変更例）
本発明は上述の実施の形態のように種々の形態で実施することができる。
【００４０】
受け具３１と駆動装置４１とは、いずれか一方を左右方向にスライドする第一部材として実施し、いずれか他方を固定された第二部材として実施することができるものであり、受け具３１と駆動装置４１のいずれを第一部材にしても構わない。
【００４１】
受け具３１と駆動装置４１とは、戸体１１と戸枠１２からなる開閉構造体のうち、いずれの開閉構造体に設けても構わない。
【００４２】
固定された第二部材は、２個のものを図示したが、１個のもので実施しても構わない。その場合、戸体が全開時の場合に作動するものであっても、全閉時の場合に作動するものであっても、いずれであっても構わない。
【００４３】
戸体１１の開閉角度は約９０°と約１８０°のものを示したが、その角度は適宜変更して実施することができる。 
【００４４】
戸体重量の軽重にかかわらず実施することができるものであり、特に戸体重量の重たい場合には、その重量によって開閉途中に戸先側が上下動しやすくなるため、本発明のように、受け具３１と駆動装置４１とを共に戸体１１と戸枠１２の一本にまとめて設けることによって、開閉途中の上下動の影響を受けてしまうことを抑制することができる。
【００４５】
戸体１１が全閉する際に、その閉まりを保持しておくために、一般にラッチが設けられているが、これを閉める方向で補助する機構を追加して実施しても構わない。 
【００４６】
戸体１１が全開した状態で、その煽り止めできる機構を追加して実施しても構わないし、また、開閉機構のコンパクト化を図ったり、上下や左右や引込み速度などの各種調整機構を追加して実施しても構わない。
【００４７】
（実施の形態の利点）
本発明は従来にない開閉機構の新たな構造を提供することができたことが最大の効果であるが、この新たな構造によって、種々の利点を備えた開閉機構として実施することが可能となった。
【００４８】
従来の開閉機構にあっては、戸体１１が右開きか左開きかによって、駆動装置４１の形状構造を変更する必要がある場合もあったが、本発明では開閉機構に左右勝手がでないようにして実施することができる。
【００４９】
従来の開閉機構にあっては、扉を開いたときには対応することが困難であり、そのために床面に別途の戸当りを設ける必要があったが、本発明では開閉機構のみで開き側、閉まり側の所望の位置で戸体１１を停止させることができるため、開き側、閉まり側のいずれの場合にも戸当りを設けずに実施することが可能となった。よって、開扉側では別途の戸当りを設けずに実施することも可能となり、閉扉側でも戸枠に設けられる枠戸当りを省略して実施することも可能となり、さらに衝撃吸収用のパッキンやモヘアも必要なくなる等の利点がある。
【００５０】
発明では、開閉機構を戸体１１と戸枠１２に内蔵して実施することもできるため、連携用ステーだけが外部から見えるものとし実施することもできる。これによって住宅設備では大きなポイントとなる意匠的な美観の向上にも有利な構造とすることができる。
【符号の説明】
【００５１】
１１  戸体
１２  戸枠
１３  縦枠
１４  回動軸
１５  上枠
２１  連携用ステー（連携部材）
２２  ガイド部材
２３，２４  連結軸
３１  受け具
３２  保持部
３３  案内部
４１  駆動装置
４２  作動アーム
４３  スプリング
４４  保持機構
４５  被案内部
４６  ダンパー
４７  ケーシング
４８  係合部分
４９  アーム回動軸
５０  力点部分
【図１】
2020101059.tif 000003
【図２】
2020101059.tif 000004
【図３】
2020101059.tif 000005
【図４】
2020101059.tif 000006
【図５】
2020101059.tif 000007
【図６】
2020101059.tif 000008
【図７】
2020101059.tif 000009
【図８】
2020101059.tif 000010
【図９】
2020101059.tif 000011
【図１０】
2020101059.tif 000012
【図１１】
2020101059.tif 000013
【図１２】
2020101059.tif 000014